(57)【要約】      （修正有）【課題】構成が簡単で、組立が容易に行える包装用紙箱を提供する。【解決手段】所要の厚みと大きさを有する紙板から同一の長方形の前面板部２と後面板部３と、少なくとも後面板部３の左側縁に左側面板部５が、右側縁に右側面板部６が、下縁に底面板部７が夫々接続される包装用紙箱１であって、左側面板部５には左額縁板部８が、右側面板部６には右額縁板部９が夫々形成され、左側面板部５の前面板部側左側縁５ａに内方側左側縁８ｄ１と左側面板部５の底面板部側左延長下縁８ｄ２と後面板部上縁側左延長上縁８ｄ３より形成される方形の左連結板部８ｄと右側面板部６の前面板部側右側縁６ａに内方側右側縁９ｄ１と右側面板部６の底面板部側右延長下縁９ｄ２と後面板部上縁側右延長上縁９ｄ３より形成される方形の右連結板部９ｄが夫々形成される。【選択図】図１
0003233308.tif 000002
【実用新案登録請求の範囲】
【請求項１】
同一の長方形の前面板部と後面板部と、少なくとも前記後面板部の左側縁に左側面板部が、反対のその右側縁に右側面板部が、その下縁に底面板部が夫々接続される包装用紙箱であって、前記左側面板部の前面板部側左側縁に対して平行方向の左内側縁と前記左側面板部の前面板部側左側縁と交差方向の底面板部側左下縁と後面板部側左上縁より形成される左額縁板部と、前記右側面板部の前面板部側右側縁に対して平行方向の右内側縁と前記右側面板部の前面板部側右側縁と交差方向の底面板部側右下縁と後面板部側右上縁より形成される右額縁板部が形成される包装用紙箱において、前記左額縁板部の底面板部との連接側に形成される方形の左連結板部が左側面板部の1と平行方向の内方側左側縁と前面板部側左側縁と交差方向の底面板部側左下縁の底面板部側左延長下縁と後面板部上縁側左延長上縁が形成され、前記右額縁板部の底面板部との連接側に形成される方形の右連結板部は右側面板部の前面板部側右側縁と平行方向の内方側右側縁と前面板部側右側縁と交差方向の底面板部側右下縁の底面板部側右延長下縁と後面板部上縁側右延長上縁が形成されてなる包装用紙箱。
【請求項２】
左連結板部を形成する後面板部の後面板部上縁側左延長上縁に沿って左係合凹部と左係合突起が形成され、右連結板部を形成する後面板部上縁側右延長上縁に沿って右係合凹部と右係合突起が形成され、前記左連結板部に左係合用切込みが底面板部の前面板部側前縁に対して４５度の傾斜に、前記右連結板部に右係合用切込みが底面板部の前面板部側前縁に対して４５度の傾斜に夫々形成され、底面板部の前面板部側前縁には、重合連結板部が接続され、該重合連結板部は、前記左連結板部の左係合用切込みと係合する左係合突起と、前記右連結板部の右係合用切込みと係合する右係合突起と左右に備え、底面板部の前面板部側前縁と重なり同一幅の基端縁が形成され、前面板部の方向の先端縁までの長さが左連結板部と右連結板部とに対応する大きさに形成され、その左側外形縁と右側外形縁が底面板部の前面板部側前縁に対して４５度の相対傾斜に形成され、前記重合連結板部の先端縁には、その先端縁幅で方形に延出する折曲げ重合ロック板部が接続され、前記折曲げ重合ロック板部は、接続縁となる重合連結板部の先端縁より内側に、相互に離隔して方形の左係合孔と右係合孔が夫々開孔され、折曲げ重合ロック板部が重合連結板部の先端縁で内側に折り曲げられたとき、前記左係合孔は前記左連結板部の左係合凹部と左係合突起に、前記右係合孔は前記右連結板部の右係合凹部と右係合突起に夫々係合し、内側に折り曲げられた左額縁板部の左連結板部と右額縁板部の右連結板部を連結するように設けられてなる請求項１の包装用紙箱。
【請求項３】
前記折曲げ重合ロック板部は、その先端縁に係止突起が形成され、折曲げ重合ロック板部の折曲げ時に前記先端縁の係止突起をその前記重合連結板部に設けられるロック切込みに差込んで重合状態をロックしてなる請求項２の包装用紙箱。
【請求項４】
前記前面板部の下縁には、外方に突出する係止突片が形成され、前記係止突片は、係止突起を両側に備え、その基部の両側には切込みが入り、基部折曲筋と挿入部基縁折曲筋が上下に離隔して形成されてなる請求項２包装用紙箱。
【請求項５】
前記底面板部の前面板部側前縁には、前記前面板部の係止突片の係止切込みが設けられ、かつ前記係止切込みに連通する指タッチ用開孔が形成されてなる請求項２の包装用紙箱。
【請求項６】
前記重合連結板部において、ロック切込みに対して先端縁側に補助十字切込みが連通形成されてなる請求項２の包装用紙箱。
【請求項７】
前記底面板部において、後面板部の下縁と底面板部の前面板部側前縁の内側に台型の左対向切込みと右対向切込みが形成され、後面板部と重合連結板部に対して底面板部を折曲したとき、底面板部に突出脚が形成される請求項２の包装用紙箱。
【請求項８】
同一の長方形の前面板部と後面板部と、前記後面板部の左側縁に左側面板部が、反対のその右側縁に右側面板部が、後面板部の下縁に底面板部が、後面板部の上縁に天面板部が夫々接続される包装用紙箱であって、前記左側面板部の前面板部側左側縁に前記左側面板部の前面板部側左側縁と平行方向の左内側縁と前記左側面板部の前面板部側左側縁と交差方向の底面板部側左下縁と後面板部側左上縁とより形成され左額縁板部と、前記右側面板部の前面板部側右側縁に前記右側面板部の前面板部側右側縁と平行方向の右内側縁と前記右側面板部の前面板部側右側縁と交差方向の底面板部側右下縁と後面板部側右上縁より右額縁板部が形成される包装用紙箱において、前記天面板部に吊架板部用孔が開孔され、前面板部の右側縁と天面板部の右側縁の外側に右側面板部の後面板部上縁側右上縁からの延長方向に右側面板部と同幅の吊架台板が形成され、右側面板部の後面板部上縁側右上縁より折曲したとき、前記吊架台板には、前記吊架板部用孔に内方側から挿通し、方形掛棒板部を、右側面板部の半幅部分を基縁として接続し、該方形掛棒板部は、前面板部側右側縁と平行の山折筋を中心に左右に離隔して谷折筋と谷折筋に形成され、そして山折筋の左右の谷折筋との間に左右対称の左掛け穴と右掛け穴が形成されてなる包装用紙箱。
【請求項９】
前面板部と後面板部は、同一の長方形の紙板を用い、それらの双方が天縁で接続され、前記後面板部は、その左側縁に左側面板部が、反対の後面板部の右側縁に右側面板部が、その下縁に底面板部が夫々接続される包装用紙箱であって、前記左側面板部は、その後面板部の左側縁と左側面板部の前面板部側左側縁の間の１／２中間であって、その一方端が左側面板部の上縁に接続する左１／２幅中間折曲縁と、その左１／２中間折曲縁の他方端に、左側面板部の前面板部側左側縁の左下縁に接続する左前側折曲縁と後面板部の左側縁の下縁に接続する左後側折曲縁によりＶ字形に接続され、前記右側面板部は、その後面板部の右側縁と右側面板部の前面板部側右側縁の間の１／２中間であって、その一方端が右側面板部の上縁に接続する右１／２幅中間折曲縁と、その右１／２中間折曲縁の他方端に、右側面板部の前面板部側右側縁の底面板部側右下縁に接続する右前側折曲縁と後面板部の右側縁の下縁に接続する右後側折曲縁によりＶ字形に接続されて夫々形成されてなる包装用紙箱。
【考案の詳細な説明】
【技術分野】
【０００１】
本考案は靴下、ネクタイ等の小物きの下着類、Ｔシャツなどを収容し、販売用に展示する包装用紙箱に関し、糊付けの必要がなく、一枚の紙板を折り曲げて容易に、短時間に完成できる包装用紙箱に関するものである。
【背景技術】
【０００２】
特許文献１には、一切の道具がなくても組立可能な箱を提供することを目的として、箱作りに利用される側板ののりしろ相当部を通常よりやや大きめに作りそれに切れ込みを入れ、相接する側板にはそののりしろ相当部を受け入れるための切込みを入れる。のりしろ相当部を切れ込みに挿入後、のりしろ相当部の切れ込みにおいて根元の部分とその先が、受け入れ部の切れ込みの変形が元に戻ろうとする力により変形する事で抜け防止作用となり、組み立てられた箱の状態を維持する事で箱が形を維持する事となるものが提案されている。
【０００３】
特許文献２には、梱包、開梱の作業によっても傷まず、繰り返し使用することができ、かつ、重量の重い物品の取り出しが可能な包装箱の提供を目的として、箱１は、上面と、上面に連接され対向する垂直２面(側面)と、前記側面に連設される底面と、収容物の出し入れを行う開閉部から構成される。図１のとおり、側面でない対向する垂直２面が、収容物の出し入れを行う開閉部である。開閉部は、上フラップ２、左フラップ３ａ、右フラップ４ｂ、下フラップ５の４つのフラップから構成される。上フラップ２は箱１の上面から連設され、左フラップ３ａ、右フラップ４ｂは箱１の側面から連設され、下フラップ５は、箱１の底面から連設されているものが提案されている。
【先行技術文献】
【特許文献】
【０００４】
【特許文献１】実用新案登録第３２０５５４４号公報
【特許文献２】特開２０１２−２１４２４３号公報
【考案の概要】
【考案が解決しようとする課題】
【０００５】
特許文献１において、請求項１の提案は、のりしろ相当部を対応する切れ込みに挿通し、のりしろ相当部と切れ込みによって生ずる挟圧摩擦力により係合を保持しようとするものであるから、のりしろ相当部に引っ張りを受けた場合は、容易に外れる欠点がある。また、請求項２の提案は、のりしろ相当部に差し込み方向に対して横断方向の切れ込みを設け、のりしろ相当部を差し込み切れ込みに挿入したとき係合するものであるから、抜け難くなるが、その係合構成が単に厚み方向に折曲させただけであるので、引張りを受けた場合に形状が元に戻って容易に引き抜ける欠点がある。
【０００６】
特許文献２は、包装箱の開閉部において、上フラップ２、左フラップ３ａ、右フラップ４ｂ、下フラップ５の４つのフラップから構成され、前記、左フラップ３ａと右フラップ４ｂは、その対応側縁を閉じたとき、中間の打ち合わせ溝を中心に前後に齟齬して係合し、さらに、上フラップ２の下縁の左右の挿入片２１、２１を左フラップ３ａと右フラップ４ｂの挿入孔３２ａ、３２ａに挿入係合してなるものであるが、本考案の靴下、ハンカチ等の小物から下着類を収容する紙厚の薄いものでは、係合強度が弱いので一層の増強が要請されるものである。
【課題を解決するための手段】
【０００７】
同一の長方形の前面板部と後面板部と、少なくとも前記後面板部の左側縁に左側面板部が、反対のその右側縁に右側面板部が、その下縁に底面板部が夫々接続される包装用紙箱であって、前記左側面板部の前面板部側左側縁に対して平行方向の左内側縁と前記左側面板部の前面板部側左側縁と交差方向の底面板部側左下縁と後面板部側左上縁より形成される左額縁板部と、前記右側面板部の前面板部側右側縁に対して平行方向の右内側縁と前記右側面板部の前面板部側右側縁と交差方向の底面板部側右下縁と後面板部側右上縁より形成される右額縁板部が形成される包装用紙箱において、前記左額縁板部の底面板部との連接側に形成される方形の左連結板部が左側面板部の前面板部側左側縁と平行方向の内方側左側縁と前面板部側左側縁と交差方向の底面板部側左下縁の底面板部側左延長下縁と後面板部上縁側左延長上縁が形成され、前記右額縁板部の底面板部との連接側に形成される方形の右連結板部は右側面板部の前面板部側右側縁と平行方向の内方側右側縁と前面板部側右側縁と交差方向の底面板部側右下縁の底面板部側右延長下縁と後面板部上縁側右延長上縁が形成されてなる包装用紙箱にある。
【０００８】
左連結板部を形成する後面板部の後面板部上縁側左延長上縁に沿って左係合凹部と左係合突起が形成され、右連結板部を形成する後面板部上縁側右延長上縁に沿って右係合凹部と右係合突起が形成され、前記左連結板部に左係合用切込みが底面板部の前面板部側前縁に対して４５度の傾斜に、前記右連結板部に右係合用切込みが底面板部の前面板部側前縁に対して４５度の傾斜に夫々形成され、底面板部の前面板部側前縁には、重合連結板部が接続され、該重合連結板部は、前記左連結板部の左係合用切込みと係合する左係合突起と、前記右連結板部の右係合用切込みと係合する右係合突起と左右に備え、底面板部の前面板部側前縁と重なり同一幅の基端縁が形成され、前面板部の方向の先端縁までの長さが左連結板部と右連結板部とに対応する大きさに形成され、その左側外形縁と右側外形縁が底面板部の前面板部側前縁に対して４５度の相対傾斜に形成され、前記重合連結板部の先端縁には、その先端縁幅で方形に延出する折曲げ重合ロック板部が接続され、前記折曲げ重合ロック板部は、接続縁となる重合連結板部の先端縁より内側に、相互に離隔して方形の左係合孔と右係合孔が夫々開孔され、折曲げ重合ロック板部が重合連結板部の先端縁で内側に折り曲げられたとき、前記左係合孔は前記左連結板部の左係合凹部と左係合突起に、前記右係合孔は前記右連結板部の右係合凹部と右係合突起に夫々係合し、内側に折り曲げられた左額縁板部の左連結板部と右額縁板部の右連結板部を連結するように設けられてなる包装用紙箱としてもよいものである。
【０００９】
前記折曲げ重合ロック板部は、その先端縁に係止突起が形成され、折曲げ重合ロック板部の折曲げ時に前記先端縁の係止突起をその前記重合連結板部に設けられるロック切込みに差込んで重合状態をロックしてなる包装用紙箱としてもよいものである。
【００１０】
前記前面板部の下縁には、外方に突出する係止突片が形成され、前記係止突片は、係止突起を両側に備え、その基部の両側には切込みが入り、基部折曲筋と挿入部基縁折曲筋が上下に離隔して形成されてなる包装用紙箱としてもよいものである。
【００１１】
前記底面板部の前面板部側前縁には、前記前面板部の係止突片の係止切込みが設けられ、かつ前記係止切込みに連通する指タッチ用開孔が形成されてなる包装用紙箱としてもよいものである。
【００１２】
前記重合連結板部において、ロック切込みに対して先端縁側に補助十字切込みが連通形成されてなる包装用紙箱としてもよいものである。
【００１３】
前記底面板部において、後面板部の下縁と底面板部の前面板部側前縁の内側に台型の左対向切込みと右対向切込みが形成され、後面板部と重合連結板部に対して底面板部を折曲したとき、底面板部に突出脚が形成される包装用紙箱としてもよいものである。
【００１４】
同一の長方形の前面板部と後面板部と、前記後面板部の左側縁に左側面板部が、反対のその右側縁に右側面板部が、後面板部の下縁に底面板部が、後面板部の上縁に天面板部が夫々接続される包装用紙箱であって、前記左側面板部の前面板部側左側縁に前記左側面板部の前面板部側左側縁と平行方向の左内側縁と前記左側面板部の前面板部側左側縁と交差方向の底面板部側左下縁と後面板部側左上縁とより形成され左額縁板部と、前記右側面板部の前面板部側右側縁に前記右側面板部の前面板部側右側縁と平行方向の右内側縁と前記右側面板部の前面板部側右側縁と交差方向の底面板部側右下縁と後面板部側右上縁より右額縁板部が形成される包装用紙箱において、前記天面板部に吊架板部用孔が開孔され、前面板部の右側縁と天面板部の右側縁の外側に右側面板部の後面板部上縁側右上縁からの延長方向に右側面板部と同幅の吊架台板が形成され、右側面板部の後面板部上縁側右上縁より折曲したとき、前記吊架台板には、前記吊架板部用孔に内方側から挿通し、方形掛棒板部を、右側面板部の半幅部分を基縁として接続し、該方形掛棒板部は、前面板部側右側縁と平行の山折筋を中心に左右に離隔して谷折筋と谷折筋に形成され、そして山折筋の左右の谷折筋との間に左右対称の左掛け穴と右掛け穴が形成されてなる包装用紙箱としてもよいものである。
【００１５】
前面板部と後面板部は、同一の長方形の紙板を用い、それらの双方が天縁で接続され、前記後面板部は、その左側縁に左側面板部が、反対の後面板部の右側縁に右側面板部が、その下縁に底面板部が夫々接続される包装用紙箱であって、前記左側面板部は、その後面板部の左側縁と左側面板部の前面板部側左側縁の間の１／２中間であって、その一方端が左側面板部の上縁に接続する左１／２幅中間折曲縁と、その左１／２中間折曲縁の他方端に、左側面板部の前面板部側左側縁の左下縁に接続する左前側折曲縁と後面板部の左側縁の下縁に接続する左後側折曲縁によりＶ字形に接続され、前記右側面板部は、その後面板部の右側縁と右側面板部の前面板部側右側縁の間の１／２中間であって、その一方端が右側面板部の上縁に接続する右１／２幅中間折曲縁と、その右１／２中間折曲縁の他方端に、右側面板部の前面板部側右側縁に接続する右前側折曲縁と後面板部の左側縁の下縁に接続する右後側折曲縁によりＶ字形に接続され夫々形成されてなる包装用紙箱としてもよいものである。
【考案の効果】
【００１６】
本考案の包装用紙箱は、前述のように構成さるものであり、包装用紙箱の後面板部に対して左側面板部と右側面板部と底面板部を折り曲げて形成し、その左側面板部に左額縁板部を、右側面板部に右額縁板部を夫々折曲接続し、その左額縁板部の底面板部との連接側に方形の左連結板部を、右額縁板部の底面板部との連接側に方形の右連結板部を夫々折曲接続するものであるから、構成が簡単で、包装用紙箱へ組立が容易に行えるものである。
【００１７】
本考案の包装用紙箱は、左連結板部における後面板部の後面板部上縁側左延長上縁に沿って形成した左係合凹部と左係合突起と右連結板部における後面板部上縁側右延長上縁に沿って右係合凹部と右係合突起に、底面板部の前面板部側前縁に接続される重合連結板部の先端縁に接続された折曲げ重合ロック板部に、相互に離隔して開孔された左係合孔と右係合孔に折曲げ重合ロック板部が先端縁で内側に折り曲げられたときに係合するものであるから係合が確実である。
【００１８】
本考案の包装用紙箱は、左連結板部には左係合用切込みが底面板部の前面板部側前縁の左端に対して４５度の傾斜に、前記右連結板部に右係合用切込みが底面板部の前面板部側右側縁の右端に対して４５度の傾斜に夫々形成され、底面板部の前面板部側前縁に接続される重合連結板部は、前記左連結板部の左係合用切込みと係合する左係合突起と、前記右連結板部の右係合用切込みと係合する右係合突起と左右に備えて係合するものであるから、折曲げ重合ロック板部による係合とで二重に係合し係合が確実である。
【００１９】
本考案の包装用紙箱は、折曲げ重合ロック板部の先端縁に係止突起が形成され、折曲げ重合ロック板部の折曲げ時に、係止突起を、その前記重合連結板部に設けられるロック切込みに差込んで重合状態をロックしているから、内側に商品を収容する包装用紙箱と剛性に富むものである。
【００２０】
本考案の包装用紙箱は、天面板部の上面に掛棒板部を備えているので掛棒に掛けて商品を手にとりやすい状態で販売できる。
【００２１】
本考案の包装用紙箱は、底面板部の前面板部側前縁には、前面板部の係止突片の係止孔が開孔され、かつその係止孔に連通する指タッチ用開孔が形成されているから、容易に前面板部を開放でるものである。
【００２２】
本考案の包装用紙箱は、底面板部において、後面板部の下縁と底面板部の前面板部側前縁の内側に台型の左対向切込みと右対向切込みが形成され、包装用紙箱として組み立てたとき、底面板部に突出脚が形成され、安定して縦置き展示が行えるものである。
【００２３】
本考案の包装用紙箱は、重合連結板部において、ロック切込みに対して先端縁側に補助十字切込みが連通形成されているから、折曲げ重合ロック板部の係止突起を容易に差し込むことができ、簡易に製造することができる。
【００２４】
本考案の包装用紙箱は、前面板部と後面板部は、同一の長方形の紙板を用い、それらの双方が天縁で接続され、前記後面板部は、その左側縁に左側面板部が、反対の後面板部の右側縁に右側面板部が、その下縁に底面板部が夫々接続される包装用紙箱であって、左側面板部と右側面板部を底面板部側からＹ字型に折曲することができ、保管に場所を取らない幅厚の狭い完成包装用紙箱を提供できるものである。
【図面の簡単な説明】
【００２５】
【図１】本考案の包装用紙箱の第１の実施例の展開全体紙板の外面図である。
【図２】前記図１の展開全体紙板の外面図を反転させた展開全体紙板の内面図において、後面板部の左側縁に接続する左側面板部を立上げ、その左側面板部に接続する左額縁板部を左連結部と共に内側に折曲げた状態の斜視図である。
【図３】前記図２の斜視図に加えて、後面板部の右側縁に接続する右側面板部を立上げ、その右側面板部に接続する右額縁板部を右連結板部と共に内側に折曲げた状態及び後面板部に接続する底面板部とその前面板部側前縁に接続する重合連結板部と折曲げ重合ロック板部を立上げた状態の斜視図である。
【図４】前記図３の斜視図に加えて、前記重合連結板部を前面板部側前縁から内面側に折り曲げ、重合連結板部の左係合突起を左連結板部の左係合切込みに、その右係合突起を右連結板部の右係合切込みに夫々対応し、折曲げ重合ロック板部の左係合孔を左連結板部の左係合凹部と左係合突起に、その右係合孔を右連結板部の右係合凹部と右係合突起に夫々対応した状態の斜視図である。
【図５】前記図４の斜視図に加えて、折曲げ重合ロック板部の左係合孔を左連結板部の左係合凹部と左係合突起に、その右係合孔を右連結板部の右係合凹部と右係合突起に夫々嵌入係合状態と右側面板部の後面板部上縁側上縁に接続する吊板部用部を前面板部の内面側に後面板部上縁側上縁から折り曲げた状態の斜視図である。
【図６】前記図５の斜視図に加えて、右側面板部の後面板部上縁側上縁に接続する吊板部用部を前面板部の内面側に後面板部上縁側上縁から折り曲げた状態の斜視図である。
【図７】前記図６の斜視図に加えて、吊板部を天面板部の吊板部用挿通孔に挿通して天面板部の外方に突出し、展示具の掛架棒を通す展示挿通孔を配備し、前面板部を天面板部より折り曲げて開口部を閉鎖し状態の斜視図である。
【図８】本考案の第１の実施例の紙箱の折畳み完成状態の斜視図である。
【図９】本考案の第２の実施例の展開全体紙板の外面図である。
【図１０】本考案の紙箱の第３の実施例の展開全体紙板の外面図である。
【図１１】前記図１０の展開全体紙板の外面図を反転させた展開全体紙板の内面状態において、後面板部の左側縁に接続する左側面板を立上げ、その左側面板部に接続する左額縁板部を左連結板部と共に内側に折曲げた状態と、後面板部の右側縁に接続する右側面板部を立上げ、その右側面板部に接続する右額縁板部を右連結板部と共に内側に折曲げた状態の斜視図である。
【図１２】重合連結板部を前面板部側前縁から左連結板部と右連結板部の上面に折曲げて折曲げ重合ロック板部の左係合孔を左連結板部の左係合凹部と左係合突起に、その右係合孔を右連結板部の右係合凹部と右係合突起に夫々対応させた状態の斜視図である。
【図１３】前記重合連結板部の左係合突起を左連結板部の左係合切込みに係合し、反対の右係合突起を右連結板部の右係合切込みに係合し、折曲げ重合ロック板部を重合連結板部の先端縁から左額縁板部と右額縁板部の内面下に折曲げて、その折曲げ重合ロック板部の左係合孔を左連結板部の左係合凹部と左係合突起に、その折曲げ重合ブロック板部の右係合孔を右連結板部の右係合凹部と右係合突起に夫々係合させ、折曲げ重合ブロック板部の先端の係止突起をロック切込みから外方に突出させる斜視図である。
【図１４】前記図１３の斜視図の状態から前面板部を天縁より折り曲げて開口部を閉鎖する状態の斜視図である。
【図１５】本考案の紙箱の第３の実施例の組立完了状態において、底面側からの係合状態を示す斜視図である。
【図１６】本考案の紙箱の第３の実施例の組立完成体において、縦置き状態を示す斜視図である。
【図１７】従来の公知例の包装用紙箱の展開外面図である。
【考案を実施するための形態】
【００２６】
以下、本考案の包装用紙箱を、第１の実施例の包装用紙箱１として、図面の図１により説明すると、第１の実施例の包装用紙箱１は、所要の厚みと大きさを有する紙板から同一の長方形の前面板部２と後面板部３が天面板部４を間に接続される。そして前記後面板部の左側縁に左側面板部が、その右側縁に右側面板部が、その下縁に底面板部７が夫々接続されるものであって、展開外形縁が切断される構成されると共に、その展開外形縁の内側に各部を構成する切断外形とその各部を内側又は外側に折り曲げる折筋が設けられている。
【００２７】
前記図１において、前記後面板部３は、その左側縁３ａに左側面板部５が、反対のその右側縁３ｂに右側面板部６が、その下縁３ｃに底面板部７が、その上縁３ｄに前記天面板部４が夫々接続される。そして、前記天面板部４、左側面板部５、右側面板部６、底面板部７は、夫々が同一幅若しくはそれに近い幅で構成される。
【００２８】
前記左側面板部５の前面板部側左側縁５ａには、左額縁板部８が左側面板部５と同一幅若しくは近い幅で形成される。該左額縁板部８は、前記左側面板部５の前面板部側左側縁５ａと平行方向の左内側縁８ａと、前記左側面板部５の前面板部側左側縁５ａと交差方向の左下縁８ｂと、後面板部側左上縁の実施例として左円弧上縁８ｃが形成される。
【００２９】
前記右側面板部６の前面板部側右側縁６ａには、前記左側面板部５とは反対側に右額縁板部９が前記右側面板部６と同幅若しくは近い幅で形成される。該右額縁板部９は、前記右側面板部６の前面板部側右側縁６ａと平行方向の右内側縁９ａと、前記右側面板部６の前面板部側右側縁６ａと交差方向の底面板部側右下縁９ｂと、後面板部側右上縁の実施例として後面板部側右円弧上縁９ｃが形成される。
【００３０】
前記図１において、前記左額縁板部８の底面板部７との連接側が方形の左連結板部８ｄに形成され、該左連結板部８ｄは左側面板部５の前面板部側左側縁５ａと平行方向の内方側左側縁８ｄ１と、前面板部側左側縁５ａと交差方向の底面板部側左下縁５ｂの底面板部側左延長下縁８ｄ２と後面板部上縁側左延長上縁８ｄ３が夫々形成される。
【００３１】
前記図１において、前記右額縁板部９の底面板部７との連接側が方形の右連結板部９ｄに形成され、該右連結板部９ｄは右側面板部６の前面板部側右側縁６ａと平行方向の内方側右側縁９ｄ１と、前面板部側右側縁６ａと交差方向の底面板部側右下縁６ｂの底面板部側右延長下縁９ｄ２と後面板部上縁側右延長上縁９ｄ３が形成される。
【００３２】
前記図１において、前記左連結板部８ｄを形成する後面板部上縁側左延長上縁８ｄ３に沿って左係合凹部１０ａと左係合突起１１ａが形成される。同じく、前記右連結板部９ｄを形成する後面板部上縁側右延長上縁９ｄ３に沿って右係合凹部１０ｂと右係合突起１１ｂが形成される。
【００３３】
前記図１において、前記左連結板部８ｄに左係合用切込み１２ａが底面板部７の前面板部側前縁７ａの左端に対して４５度の傾斜に、前記右連結板部９ｄに右係合用切込み１２ｂが底面板部７の前面板部側前縁７ａの右端に対して４５度の傾斜に夫々形成される。
【００３４】
前記左側面板部５の底面板部７との連接側の底面板部側左下縁５ｂの外側に左側面板部５と同幅の補強フラップ１３ａが突出形成される。この補強フラップ１３ａは内側に折り曲げられ、底面板部７の左端縁と対応する。この左側面板部５の左上縁５ｃの外側に天面板部４と同幅の補強フラップ１３ｂが突出形成される。この補強フラップ１３ｂは内側に折り曲げられ、天面板部４の左端縁４ａと対応する。
【００３５】
前記右側面板部６の底面板部７との連接側の底面板部側右下縁６ｂの外側に右側面板部６と同幅の補強フラップ１３ｃが突出形成される。
【００３６】
前記図１において、底面板部７の前面板部側前縁７ａには、重合連結板部１４が接続される。該重合連結板部１４は、前記左連結板部８ｄの左係合用切込み１２ａに係合する左係合突起１５ａと前記右連結板部９ｄの右係合用切込み１２ｂに係合する右係合突起１５ｂを左右に備え、底面板部７の前面板部側前縁７ａと同一幅の基端縁が形成され、先端縁１４ａまでの長さが左連結板部８ｄと右連結板部８ｄに対応する大きさに形成され、その左側外縁１４ｂと右側外縁１４ｃが底面板部７の前面板部側前縁７ａに対して４５度の相対傾斜に形成される。
【００３７】
前記重合連結板部１４の先端縁１４ａには、その先端縁幅で方形に延出する折曲げ重合ロック板部１６が接続される。
【００３８】
前記折曲げ重合ロック板部１６は、接続縁となる重合連結板部１４の先端縁１４ａより内側に、相互に離隔して方形の左係合孔１７と右係合孔１８が開孔され、折曲げ重合ロック板部１６が重合連結板部１４の先端縁１４ａで内側に折り曲げられたとき、左係合孔１７は前記左連結板部８ｄの左係合凹部１０ａと左係合突起１１ａとに係合し、右係合孔１８は前記右連結板部９ｄの右係合凹部１０ｂと右係合突起１１ｂとに係合し、内側に左額縁板部８の左連結板部８ｄと右額縁板部９の右連結板部９ｄを挟持して連結するように設けられている。
【００３９】
前記折曲げ重合ロック板部１６は、その先端外形縁１６ａに係止突起１９が突出して形成され、該係止突起１９を、折曲げ重合ロック板部１６の折曲げ時に前記重合連結板部１４のロック切込み２０に差込んで重合連結板部１４と折曲げ重合ロック板部１６の重合状態をロックする。
【００４０】
前記底面板部７において、後面板部３の下縁３ｃと底面板部７の前面板部側前縁７ａの内側に台型の左対向切込み２１ａと右対向切込み２１ｂが形成され、後面板部３と重合連結板部１４に対して底面板部７を折曲したとき、底面板部７に突出脚が形成される。
【００４１】
前記天面板部４に吊架板部用孔２２が開孔され、前面板部２の右側縁２ｂと天面板部４の右側縁４ｂの外側に右側面板部６の後面板部上縁側右上縁６ｃからの延長方向に右側面板部６と同幅の吊架台板２３が形成される。そして、右側面板部６の後面板部上縁側右上縁６ｃより折曲したとき、前記吊架台板２３には、前記吊架板部用孔２２に内方側から挿通し、方形掛棒板部２５を、右側面板部６の半幅部分を基縁２５ａとして接続し、該方形掛棒板部２５は、前面板部２の右側縁２ｂと平行の山折筋２５ｂを中心に左右に離隔して谷折筋２５ｃと谷折筋２５ｄに形成される。そして山折筋２５ｂの左右の谷折筋２５ｃと谷折筋２５ｄの間に左右対称の左掛け穴２４ａと右掛け穴２４ｂが形成されている。左掛け穴２４ａと右掛け穴２４ｂは重合されて掛け穴２４となる。
【００４２】
前記前面板部２の下縁２ｃには、外方に突出する係止突片２６が形成されている。前記係止突片２６は、係止突起２７を両側に備え、その基部２６ａの両側には切込み２６ｂが入り、基部折曲筋２６ａと挿入部基縁折曲筋２６ｃが離隔して形成される。
【００４３】
前記底面板部７の前面板部側前縁７ａには、前記前面板部２の係止突片２６の係止切込み２８が設けられる。また、前記底面板部７には、前記係止切込み２８に連通する指タッチ用開孔２９が形成される。また、前記後面板部３には、点検口３０が形成される。
【実施例】
【００４４】
以下、本考案の包装用紙箱の第１の実施例として、前述した考案を実施するための形態の包装用紙箱１を、さらに詳しく、図２〜図８により説明すると、第１の実施例の包装用紙箱１は、図１に示すよう構成されるから、その組み立ては、図２に示すように、後面板部３の左側縁３ａに沿って左側面板部５を内側に折り曲げ、次に、左額縁板部８を前面板部側左側縁５ａに沿って内側に折り曲げる。
【００４５】
本考案の包装用紙箱の第１の実施例の包装用紙箱１は図３に示すように、後面板部３の右側縁３ｂに沿って右側面板部６を内側に折り曲げる。次に、右額縁板部９を前面板部側右側縁６ａに沿って内側に折り曲げる。そのとき、右側面板部６の後面板部上縁側右上縁６ｃに接続する吊架台板２３も内側に折り曲げる。また、底面板部７を後面板部３の下縁３ｃから、右側面板部６を内面側に重合連結板部１４および折曲げ重合ロック板部１６と共に折り曲げる。
【００４６】
本考案の包装用紙箱の第１の実施例の包装用紙箱１は、図４に示すように、底面板部７の前面板部側前縁７ａから重合連結板部１４を内面側に折曲げ重合ロック板部１６と共に折り曲げる。
【００４７】
本考案の包装用紙箱の第１の実施例の包装用紙箱１は、図５に示すように、折曲げ重合ロック板部１６を重合連結板部１４の先端縁１４ａから内側に折り曲げ、左係合孔１７を前記左連結板部８ｄの左係合凹部１０ａと左係合突起１１ａに係合し、また右係合孔１８を前記右連結板部９ｄの右係合凹部１０ｂと右係合突起１１ｂに係合し、左額縁板部８の左連結板部８ｄと右額縁板部９の右連結板部９ｄを間に挟持して連結する。また、吊架台板２３を右側面板部６の後面板部上縁側右上縁６ｃより内方側に折曲する。このとき、吊架台板２３に接続する方形掛棒板部２５をその山折筋２５ｂを頂縁として山形に折り曲げる。
【００４８】
本考案の包装用紙箱の第１の実施例の包装用紙箱１は、図６に示すように、山折筋２５ｂを頂縁として山形に折り曲げた方形掛棒板部２５を、その頂縁から天面板部４の吊架板部用孔２２に内側から差し込み、その頂縁を左掛け穴２４ａと右掛け穴２４ｂと共に外方に突設させる。
【００４９】
本考案の包装用紙箱の第１の実施例の包装用紙箱１は、図７に示すように、方形掛棒板部２５の左掛け穴２４ａと右掛け穴２４ｂは重合して単なる掛け穴２４を構成して吊架板部用孔２２より外方に突出する。天面板部４を後面板部３の上縁３ｄから前面板部２を連ねて内側に折曲し、さらに、前面板部２を天面板部４と接続する上縁２ｄから内面側に折曲して内面側の開口部を閉鎖する。係止突片２６は外側に出た状態であるので、これを底面板部７の前面板部側前縁７ａの係止切込み２８に差し込んで係止する。
【００５０】
本考案の包装用紙箱の第１の実施例の包装用紙箱１は、図８に示すように、前面板部２の係止突片２６を底面板部７の係止切込み２８に差し込んで係止した状態となる。底面板部７の外面には、台型の左対向切込み２１ａと右対向切込み２１ｂによる突出脚が形成されている。
【００５１】
包装用紙箱１の前面板部２を開ける場合は、指タッチ用開孔２９に指先を入れ、係止突片２６を外側に掛け出すと、左右の係止突起２７が孔縁と外れて引き出すことができ、前面板部２を開けることができる。
【００５２】
本考案の包装用紙箱の第２の実施例の包装用紙箱３２を図９により説明すると、図９は、その展開全体外面図であり、図１と同様に所要の厚みを有する長方形の紙板から包装用紙箱３２の展開外形縁が切断されると共に、その展開外形縁の内側に各部を構成する切断外形とその各部に内側に折り曲げる折筋が設けられる。
【００５３】
第２の実施例の包装用紙箱３２は、図１に示される第１の実施例の包装用紙箱１の各部の構成と同様の構成が図９においても形成される。そして、追加される構成として、重合連結板部１４において、ロック切込み２０に対して先端縁側に補助十字切込み３３が連通形成されるものである。
【００５４】
前記補助十字切込み３３は、内側から折曲げ重合ロック板部１６の係止突起１９を、ロック切込み２０に差し込むときに、ロック切込み２０が容易に大きく開くことに寄与することにある。そして、係止突起１９が差し込まれた後は、係止突起１９は、ロック切込み２０において、補助十字切込み３３が接続された側とは反対の基端縁側に支えられるため、強度的には孫色なくロック作用を奏するものである。
【００５５】
本考案の包装用紙箱の第３の実施例の包装用紙箱３５を図１０〜図１６により説明すると、図１０は、その展開全体外面図であり、図１と同様に所要の厚みを有する長方形の紙板から包装用紙箱３５の展開外形縁が切断されると共に、その展開外形縁の内側に各部を構成する切断外形とその各部に内側に折り曲げる折筋が設けられる。
【００５６】
前記図１０において、包装用紙箱３５を構成する前面板部３６と後面板部３７は、同一の長方形から構成され、それらの双方が天縁３８で接続される。
【００５７】
前記図１０において、前記後面板部３７は、その左側縁３７ａに左側面板部３９が、反対の後面板部３７の右側縁３７ｂに右側面板部４０が、その下縁３７ｃに底面板部４１が夫々接続される。
【００５８】
前記図１０において、前記左側面板部３９の前面板部側左側縁３９ａには、左額縁板部４２が左側面板部３９と同一幅若しくは近い幅で形成される。該左額縁板部４２は、前記左側面板部３９の前面板部側左側縁３９ａと平行方向の左内側縁４２ａと、前記左側面板部３９の前面板部側左側縁３９ａと交差方向で左側面板部３９の底面板部側左下縁３９ｂに接続する底面板部側左下縁４２ｂと、前記左側面板部３９の左上縁３９ｃに接続する後面板部上縁側上縁の実施例として後面板部天縁側左円弧上縁４２ｃが形成される。
【００５９】
前記図１０において、前記右側面板部４０の前面板部側右側縁４０ａには、前記左側面板部３９とは反対側に右額縁板部４３が前記右側面板部４０と同一幅若しくは近い幅で形成される。該右額縁板部４３は、前記右側面板部４０の前面板部側右側縁４０ａと平行方向の右内側縁４３ａと、前記右側面板部４０の前面板部側右側縁４０ａと交差方向で右側面板部４０の底面板部側右下縁４０ｂに接続する底面板部側右下縁４３ｂと、前記右側面板部４０の右上縁４０ｃに接続する後面板部側上縁の実施例としの後面板部天縁側右円弧上縁４３ｃが形成される。
【００６０】
前記図１０において、前記左側面板部３９は、その後面板部３７の左側縁３７ａと左側面板部３９の前面板部側左側縁３９ａの間の１／２中間であって、その一方端が左側面板部３９の左上縁３９ｃに接続する左１／２幅中間折曲縁３９ｄと、その左１／２中間折曲縁３９ｄの他方端に、左側面板部３９の前面板部側左側縁３９ａの底面板部側左下縁３９ｂに接続する左前側折曲縁３９ｄ１と後面板部３７の左側縁３７ａの下縁３７ｃに接続する左後側折曲縁３９ｄ２によりＶ字形に接続されて形成される。
【００６１】
前記図１０において、前記右側面板部４０は、その後面板部３７の右側縁３７ｂと右側面板部４０の右側縁４０ｂの間の１／２中間であって、その一方端が右側面板部４０の上縁４０ｃに接続する１／２幅中間折曲縁４０ｄと、その１／２中間折曲縁４０ｄの他方端に、右側面板部４０の右側縁４０ｂに接続する右前側折曲縁４０ｄ１と、右後面板部３７の右側縁３７ｂの下縁３７ｃに接続する右後側折曲縁４０ｄ２によりＶ字形に接続されて形成される。
【００６２】
前記図１０において、前記左額縁板部４２の底面板部４１との連接側が方形の左連結板部４２ｄに形成され、該左連結板部４２ｄは左側面板部３９の前面板部側左側縁３９ａと平行方向の左内側縁４２ｄ１と、前面板部側左側縁３９ａと交差方向の底面板部側左延長下縁４２ｄ２と後面板部天縁側左延長上縁４２ｄ３が夫々形成される。
【００６３】
前記図１０において、前記右額縁板部４３の底面板部４１との連接側が方形の右連結板部４３ｄに形成され、該右連結板部４３ｄは右側面板部６の前面板部側右側縁６ａと平行方向の右内側縁４３ｄ１と、前面板部側右側縁６ａと交差方向の底面板部側右延長下縁４３ｄ２と後面板部天縁側右延長上縁４３ｄ３が形成される。
【００６４】
前記図１０において、前記左連結板部４２ｄを形成する後面板部天縁側左延長上縁４２ｄ３に沿って左係合凹部４４ａと左係合突起４５ａが形成される。同じく、前記右連結板部４３ｄを形成する後面板部天縁側右延長上縁４３ｄ３に沿って右係合凹部４４ｂと右係合突起４５ｂが形成される。
【００６５】
前記図１０において、前記左連結板部４２ｄの左係合用切込み４６ａが底面板部４１の前面板部側前縁４１ａの左端に対して４５度の傾斜に、前記右連結板部４３ｄの右係合用切込み４６ｂが底面板部４１の前面板部側前縁４１ａの右端に対して４５度の傾斜に夫々形成される。
【００６６】
前記図１０において、前記左側面板部３９の底面板部４１との連接側の底面板部側左下縁３９ｂの外側に左側面板部３９と同幅の左補強フラップ４７ａが突出形成される。
【００６７】
前記図１０において、前記右側面板部４０の底面板部４１との連接側の底面板部側右下縁４０ｂの外側に右側面板部４０と同幅の右補強フラップ４７ｂが突出形成される。
【００６８】
前記図１０において、底面板部４１の前面板部側前縁４１ａには、重合連結板部４８が接続される。該重合連結板部４８は、前記左連結板部４２ｄの左係合用切込み４６ａと係合する左係合突起４９ａと、前記右連結板部４３ｄの右係合用切込み４６ｂと係合する右係合突起４９ｂと左右に備え、底面板部４１の前面板部側前縁側左側縁４１ａと重なり同一幅の基端縁が形成され、前面板部３６の方向の先端縁４８ａまでの長さが左連結板部４２ｄと右連結板部４３ｄと対応する大きさに形成され、その左側外形縁４８ｂと右側外形縁４８ｃが底面板部４１の前面板部側前縁４１ａに対して４５度の対称傾斜角縁に形成される。
【００６９】
前記図１０において、前記重合連結板部４８の先端縁４８ａには、その先端縁幅で方形に延出する折曲げ重合ロック板部５０が接続される。
【００７０】
前記図１０において、前記折曲げ重合ロック板部５０は、接続縁となる重合連結板部４８の先端縁４８ａより外側に、相互に離隔して方形の左係合孔５１と右係合孔５２が開孔され、折曲げ重合ロック板部５０が先端縁４８ｂから折り曲げられたとき、左係合孔５１は前記左連結板部４２ｄの左係合凹部４４ａと左係合突起４５ａに係合し、右係合孔５２は前記右連結板部４３ｄの右係合凹部４４ｂと右係合突起４５ｂとに係合し、内側に折り曲げられた左額縁板部４２の左連結板部４２ｄと右額縁板部４３の右連結板部４３ｄを連結する。
【００７１】
前記図１０において、前記折曲げ重合ロック板部５０は、その先端縁５０ａに係止突起５３が形成され、折曲げ重合ロック板部５０の折曲げ時に係止突起５３を、その前記重合連結板部４８に設けられるロック切込み５４に差込み重合状態をロックするものである。
【００７２】
前記ロック切込み５４には、補助十字切込み５５が連通形成されるものである。
【００７３】
前記図１０において、前記前面板部３６の下縁３６ｃには、前面板部３６より外方に突出する係止突片５６が形成されている。前記係止突片５６は、係止突起５７を両側に備え、その基部折曲筋５６ａの両側には切込み５６ｂが入り、基部折曲筋５６ａと挿入部基縁折曲筋５６ｃが離隔して形成される。
【００７４】
前記図１０において、前記前面板部側前縁４１ａには、前記前面板部３６の係止突片５６を挿入係止する係止切込み５８が形成される。この係止切込み５８には、連通する指先挿入用開孔５９が形成される。
【００７５】
前記図１０において、前記底面板部４１において、後面板部３７の下縁３７ｃの外側と底面板部４１の前面板部側前縁４１ａの内側に台型の左対向切込み６０ａと右対向切込み６０ｂが形成され、後面板部３７の下縁３７ｃに対して底面板部４１を、重合連結板部４８の基縁に対して重合連結板部４８折曲しとき、底面板部４１に突出脚が形成される。
【００７６】
前記図１０において、前面板部３６の天縁３８寄りに前面板部吊架用開孔６１ａが、後面板部３７の天縁３８寄りに後面板部吊架用開孔６１ｂが夫々対応して開孔される。そして、前面板部３６と後面板部３７を天縁３８から折り曲げとき、一致する吊架孔６１が形成される。そして、包装用紙箱３５に組み立てられたとき、吊架孔６１に図示しない支え棒が挿通されて吊架展示が行えるものである。
【００７７】
前記図１０において、前記後面板部３７には、点検孔６２が開孔される。
【００７８】
本考案の包装用紙箱の第３の実施例の包装用紙箱３５は、図１０に示すよう構成されるから、その組み立ては、図１１に示すように、後面板部３７の左側縁３７ａに沿って左側面板部３９を前面板部３６側に折り曲げ、次に、左額縁板部４２を前面板部側左側縁３９ａに沿って内側に折り曲げる。また、後面板部３７の右側縁３７ｂに沿って右側面板部４０を前面板部３６側に折り曲げ、次に、右額縁板部４３を後面板部側縁４０ａに沿って内側に折り曲げる。
【００７９】
本考案の包装用紙箱の第３の実施例の包装用紙箱３５は、図１２に示すように、後面板部３７の下縁３７ｃから底面板部４１を内側に折り曲げる。また、図示しないが、前記左補強フラップ４７ａを左側面板部３９の底面板部側左下縁３９ｂから、右補強フラップ４７ｂ右側面板部４０の底面板部側右下縁４０ｂから夫々内側に折り曲げる。さらに、底面板部４１の前面板部側前縁４１ａから重合連結板部４８と折曲げ重合ロック板部５０を一連状態のまま折り曲げ、左連結板部４２ｄと右連結板部４３ｄに外側から接面させる。
【００８０】
本考案の包装用紙箱の第３の実施例の包装用紙箱３５は、図１３に示すように、重合連結板部４８の左係合突起４９ａを前記左連結板部４２ｄの左係合用切込み４６ａを嵌入係止し、また、重合連結板部４８の右係合突起４９ｂを前記左連結板部４２ｄの左係合用切込み４６ａを嵌入係止した後、重合連結板部４８の先端縁４８ａから折曲げ重合ロック板部５０を内側に１８０度おり曲げ、折曲げ重合ロック板部５０の左係合孔５１を左連結板部４２ｄの左係合突起４５ａに、折曲げ重合ロック板部５０の右係合孔５２を右連結板部４３ｄの右係合突起４５ｂに夫々係合する。そして、折曲げ重合ロック板部５０の係止突起５３をロック切込み５４に差込み折曲げ重合ロック板部５０を折曲重合状態にロックする。
【００８１】
本考案の包装用紙箱の第３の実施例の包装用紙箱３５は、図１４に示すように、前面板部３６を天縁３８から内側に折り曲げると前面板部側の開口面を閉鎖することができる。
【００８２】
本考案の包装用紙箱の第３の実施例の包装用紙箱３５は、図１５に示すように、前面板部３６の下縁３６ｃの係止突片５６挿入部基縁折曲筋５６ｃから内側に折り曲げ、前面板部側前縁４１ａの係止切込み５８に挿入すると、挿入後、両側の係止突起５７が係止切込み５８の左右の両縁の内側に係止し、前面板部３６を閉鎖状態に保持する。
【００８３】
本考案の包装用紙箱の第３の実施例の包装用紙箱３５は、図１６に示すように、底面板部４１に左対向切込み６０ａと右対向切込み６０ｂによる突出脚が形成されるから、縦置きをすることができる。
【００８４】
包装用紙箱３５は、前面板部３６と後面板部３７が接続する天縁より下方に互いに対応する前吊架孔６１ａと後吊架孔６１ｂとが形成されているから、組み立てられたとき、吊架孔６１が構成され、図示しない支え棒が挿通して全体を吊架展示が行えるように構成される。
【００８５】
従来の公知例の包装用紙箱６３は、図１７の展開外面図に示すように、方形の底面板部６４、左側板部６５、右側面板部６６、表面板部６７、前面板部６８および後面板部６９を主要板面部に、のり代板部として左前のり代板部６５ａと左後のり代板部６５ｂ、右前のり代板部６６ａと右後のり代板部６６ｂ、前面板部補強板部６８ａと後面板部補強板部６９ａおよび差込み板部６７ａの付属部から構成される。糊付けによる完全接着の利点はあるが、乾燥に時間がかかるため生産性が悪く敬遠されている。
【産業上の利用可能性】
【００８６】
本考案の包装用紙箱は、資材となる紙板を製品の外形、部分に従った切断・折筋加工がなされた展開状態で保管され、必要とするときに手折りで製品化が行えるため在庫管理が簡易に行え、流通業界の発展に寄与するものである。
【符号の説明】
【００８７】
１  第１の実施例の包装用紙箱
２  前面板部
２ｂ  右側縁
２ｃ  下縁
２ｄ  上縁
３  後面板部
３ａ  左側縁
３ｂ  右側縁
３ｃ  下縁
３ｄ  上縁
４  天面板部
４ａ  左側縁
４ｂ  右側縁
５  左側面板部
５ａ  前面板部側左側縁
５ｂ  底面板部側左下縁
５ｃ  左上縁
６  右側面板部
６ａ  前面板部側右側縁
６ｂ  底面板部側右下縁
６ｃ  後面板部上縁側右上縁
７  底面板部
７ａ  前面板部側前縁
７ｂ  左側縁
７ｃ  右側縁
８  左額縁板部
８ａ  左内側縁
８ｂ  底面板部側左下縁
８ｃ  左円弧上縁
８ｄ  左連結板部
８ｄ１  内方側左側縁
８ｄ２  底面板部側左延長下縁
８ｄ３  後面板部上縁側左延長上縁
９  右額縁板部
９ａ  右内側縁
９ｂ  底面板部側右下縁
９ｃ  後面板部側右円弧上縁
９ｄ  右連結板部
９ｄ１  内方側右側縁
９ｄ２  底面板部側右延長下縁
９ｄ３  後面板部上縁側右延長上縁
１０ａ  左係合凹部
１０ｂ  右係合凹部
１１ａ  左係合突起
１１ｂ  右係合突起
１２ａ  左係合用切込み
１２ｂ  右係合用切込み
１３ａ  補強フラップ
１３ｂ  補強フラップ
１３ｃ  補強フラップ
１４  重合連結板部
１４ａ  先端縁
１４ｂ  左側外縁
１４ｃ  右側外縁
１５ａ  左係合突起
１５ｂ  右係合突起
１６  折曲げ重合ロック板部
１６ａ  先端外縁
１７  左係合孔
１８  右係合孔
１９  係止突起
２０  ロック切込み
２１ａ  左対向切込み
２１ｂ  右対向切込み
２２  吊架板部用孔
２３  吊架台板
２４  掛け穴
２４ａ  左掛け穴
２４ｂ  右掛け穴
２５  方形掛棒板部
２５ａ  基縁
２５ｂ  山折筋
２５ｃ  谷折筋
２５ｄ  谷折筋
２６  係止突片
２６ａ  基部折曲筋
２６ｂ  切込み
２６ｃ  挿入部基縁折曲筋
２７  係止突起
２８  係止切込み
２９  指タッチ用開孔
３０  点検口
３２  第２の実施例の包装用紙箱
３３  補助十字切込み
３５  第３の実施例の包装用紙箱
３６  前面板部
３６ｃ  下縁
３７  後面板部
３７ａ  左側縁
３７ｂ  右側縁
３７ｃ  下縁
３８  天縁
３９  左側面板部
３９ａ  前面板部側左側縁
３９ｂ  底面板部側左下縁
３９ｃ  左上縁
３９ｄ  左１／２幅中間折曲縁
３９ｄ１  左前側折曲縁
３９ｄ２  左後側折曲縁
４０  右側面板部
４０ａ  前面板部側右側縁
４０ｂ  底面板部側右下縁
４０ｃ  右上縁
４０ｄ  右１／２幅中間折曲縁
４０ｄ１  右前側折曲縁
４０ｄ２  右後側折曲縁
４１  底面板部
４１ａ  前面板部側前縁
４２  左額縁板部
４２ａ  左内側縁
４２ｂ  底面板部側左下縁
４２ｃ  後面板部天縁側左円弧上縁
４２ｄ  左連結板部
４２ｄ１  内方側左側縁
４２ｄ２  底面板部側左延長下縁
４２ｄ３  後面板部天縁側左延長上縁
４３  右額縁板部
４３ａ  右内側縁
４３ｂ  底面板部側右下縁
４３ｃ  後面板部天縁側右円弧上縁
４３ｄ  右連結板部
４３ｄ１  内方側右側縁
４３ｄ２  底面板部側右延長下縁
４３ｄ３  後面板部天縁側右延長上縁
４４ａ  左係合凹部
４４ｂ  右係合凹部
４５ａ  左係合突起
４５ｂ  右係合突起
４６ａ  左係合用切込み
４６ｂ  右係合用切込み
４７ａ  左補強フラップ
４７ｂ  右補強フラップ
４８  重合連結板部
４８ａ  先端縁
４８ｂ  左側外形縁
４８ｃ  右側外形縁
４９ａ  左係合突起
４９ｂ  右係合突起
５０  折曲げ重合ロック板部
５０ａ  先端縁
５１  左係合孔
５２  右係合孔
５３  係止突起
５４  ロック切込み
５５  補助十字切込み
５６  係止突片
５６ａ  基部折曲筋
５６ｂ  切込み
５６ｃ  挿入部基縁折曲筋
５７  係止突起
５８  係止切込み
５９  指先挿入開孔
６０ａ  左対向切込み
６０ｂ  右対向切込み
６１  吊架孔
６１ａ  前面板部吊架用開孔
６１ｂ  後面板部吊架用開孔
６２  点検孔
６３  公知例の包装用紙箱
【図１】
0003233308.tif 000003
【図２】
0003233308.tif 000004
【図３】
0003233308.tif 000005
【図４】
0003233308.tif 000006
【図５】
0003233308.tif 000007
【図６】
0003233308.tif 000008
【図７】
0003233308.tif 000009
【図８】
0003233308.tif 000010
【図９】
0003233308.tif 000011
【図１０】
0003233308.tif 000012
【図１１】
0003233308.tif 000013
【図１２】
0003233308.tif 000014
【図１３】
0003233308.tif 000015
【図１４】
0003233308.tif 000016
【図１５】
0003233308.tif 000017
【図１６】
0003233308.tif 000018
【図１７】
0003233308.tif 000019
【手続補正書】
【提出日】令和3年6月2日(2021.6.2)
【手続補正１】
【補正対象書類名】実用新案登録請求の範囲
【補正対象項目名】請求項１
【補正方法】変更
【補正の内容】
【請求項１】
同一の長方形の前面板部と後面板部と、少なくとも前記後面板部の左側縁に左側面板部が、反対のその右側縁に右側面板部が、その下縁に底面板部が夫々接続される包装用紙箱であって、前記左側面板部の前面板部側左側縁に対して平行方向の左内側縁と前記左側面板部の前面板部側左側縁と交差方向の底面板部側左下縁と後面板部側左上縁より形成される左額縁板部と、前記右側面板部の前面板部側右側縁に対して平行方向の右内側縁と前記右側面板部の前面板部側右側縁と交差方向の底面板部側右下縁と後面板部側右上縁より形成される右額縁板部が形成される包装用紙箱において、前記左額縁板部の底面板部との連接側に形成される方形の左連結板部が左側面板部の前面板部側左側縁と平行方向の内方側左側縁と前面板部側左側縁と交差方向の底面板部側左下縁の底面板部側左延長下縁と後面板部上縁側左延長上縁が形成され、前記右額縁板部の底面板部との連接側に形成される方形の右連結板部は右側面板部の前面板部側右側縁と平行方向の内方側右側縁と前面板部側右側縁と交差方向の底面板部側右下縁の底面板部側右延長下縁と後面板部上縁側右延長上縁が形成されてなる包装用紙箱。
【手続補正２】
【補正対象書類名】実用新案登録請求の範囲
【補正対象項目名】請求項４
【補正方法】変更
【補正の内容】
【請求項４】
前記前面板部の下縁には、外方に突出する係止突片が形成され、前記係止突片は、係止突起を両側に備え、その基部の両側には切込みが入り、基部折曲筋と挿入部基縁折曲筋が上下に離隔して形成されてなる請求項２の包装用紙箱。